(57)【要約】  周波数スペクトル資源を効率よく利用する方法およびシステムが開示される。この方法は、少なくとも１つのスペクトル機会（５００）を決定するステップであって、前記機会が周波数範囲と持続時間によって識別されるステップと、識別された周波数範囲における所望の信号の伝送を可能にするために１組の改変された伝送特性（５１５，５１７）を決定するステップであって、前記改変された伝送特性が前記周波数範囲内の予想される信号への干渉を回避するステップと、前記伝送が前記持続時間中に生じるとき、前記改変された伝送特性を使用して前記所望の信号を伝送するステップとを含む。前記システムの一態様では、少なくとも１つの機会を決定するステップが、既知の周波数範囲内で信号を受け取るステップと、前記受信信号の特性を決定するステップとを含む。前記システムは、少なくとも１つの受信可能な信号に関する情報項目を受信するための受信ユニット（１００１）と、少なくとも１つの受信信号の特性を決定するための処理ユニット（８６２）と、決定された受信信号の特性に基づいて所望の信号の伝送特性を改変するための管理ユニット（８６４）であって、前記改変された伝送特性が前記受信信号への干渉を回避するユニットと、前記改変された伝送特性を受け取って、前記所望の信号を伝送する伝送ユニット（８６６）とを含む。一態様では、前記所望の信号の伝送特性は、周波数範囲／時間で改変されて、前記周波数範囲内の受信信号への干渉を回避する。
2007533198.tif 000002
【特許請求の範囲】
【請求項１】
スペクトル資源を効率よく利用する方法であって、
少なくとも１つのスペクトル機会を決定するステップであって、前記機会が周波数範囲と持続時間によって識別されるステップと、
前記識別された周波数範囲における所望の信号の伝送を可能にするために１組の改変された伝送特性を決定するステップであって、前記改変された伝送特性が前記周波数範囲内の予想される信号への干渉を回避するステップと、
前記伝送が前記持続時間中に生じるとき、前記改変された伝送特性を使用して前記所望の信号を伝送するステップと、を含む、方法。
【請求項２】
少なくとも１つの機会を決定するステップが、
既知の周波数範囲で信号を受信するステップと、
前記受信信号の特性を決定するステップと、を含む、請求項１に記載の方法。
【請求項３】
前記受信信号の受信時間を決定するステップをさらに含む、請求項２に記載の方法。
【請求項４】
前記受信信号の特性が、受信電力、変調、変調速度、帯域幅からなるグループから選択される、請求項２に記載の方法。
【請求項５】
少なくとも１つの機会を決定するステップが、
受信装置の位置を決定するステップと、
既知の送信機についての位置および伝送特性を少なくとも１つのデータベースから獲得するステップと、
推定された受信信号の特性を前記送信機の位置および前記受信装置の位置に基づいて決定するステップと、を含む、請求項１に記載の方法。
【請求項６】
前記受信装置の位置が、ＧＰＳ測位および手動入力からなるグループから選択される、請求項５に記載の方法。
【請求項７】
少なくとも１つのスペクトル機会を決定する前記ステップの発生が、周期的、直前の発生からの時間経過、既知のイベント時からなるグループから選択されるレートで実施される、請求項１に記載の方法。
【請求項８】
周波数スペクトル資源を効率的に活用する装置であって、
メモリと、
前記メモリと通信し、
周波数範囲および持続時間によって識別される、少なくとも１つのスペクトル機会に関する情報項目を受信するため、
前記識別された周波数範囲における所望信号の伝送を可能にするために、前記周波数範囲内の予想される信号への干渉を回避する１組の改変された伝送特性を決定するため、
前記所望信号の伝送が前記機会の持続時間中に生じるとき、前記改変された伝送特性を使用して前記機会周波数範囲において前記所望の信号を伝送することを可能にするため、の符号を実行するプロセッサと、を含む、装置。
【請求項９】
信号を受信し、受信信号の特性を前記プロセッサに与える受信ユニットをさらに含む、請求項８に記載の装置。
【請求項１０】
前記プロセッサが、
前記受信信号の特性に基づいて、前記少なくとも１つのスペクトル機会の情報項目を決定するための符号をさらに実行する、請求項９に記載の装置。
【請求項１１】
前記プロセッサが、
データベースに格納された既知の伝送信号の位置および伝送特性および前記装置の位置に基づいて、前記少なくとも１つのスペクトル機会の情報項目を決定するための符号をさらに実行する、請求項８に記載の装置。
【請求項１２】
前記プロセッサおよび前記メモリと通信する入出力ユニットをさらに含む、請求項８に記載の装置。
【請求項１３】
前記符号が前記メモリに格納されている、請求項８の記載の装置。
【請求項１４】
前記所望の信号を伝送する伝送ユニットをさらに含む、請求項８の記載の装置。
【請求項１５】
少なくとも１つの受信可能な信号に関する情報項目を受け取るための受信ユニットと、
前記少なくとも１つの受信信号の特性を決定するための処理ユニットと、
前記決定された受信信号の特性に基づいて所望の信号の伝送特性を改変するための管理ユニットであって、前記改変された伝送特性が前記受信信号への干渉を回避するユニットと、
前記改変された伝送特性を受け取って、前記所望の信号を伝送する伝送ユニットと、
を含む、無線通信システム。
【請求項１６】
前記受信ユニットが無線で伝送された信号を受信するための受信機であり、前記情報項目が前記受信信号と関連付けられる、請求項１５に記載のシステム。
【請求項１７】
前記受信ユニットが、既知の伝送信号の位置および伝送特性に関連付けられた情報を受信するためのプロセッサであり、前記情報項目が前記既知の伝送信号の位置および伝送特性から決定される、請求項１５に記載のシステム。
【請求項１８】
前記機会が周波数範囲および時間に関して決定される請求項１５に記載のシステム。
【請求項１９】
前記改変された伝送特性が、電力、変調、変調方式、符号化レートからなるグループから選択される、請求項１５に記載のシステム。
【請求項２０】
前記受信信号の周波数範囲内の前記所望の信号伝送電力が、前記受信信号が存在しないとき十分により高い、請求項１５に記載のシステム。
【請求項２１】
前記所望の信号の伝送特性が、周波数範囲／時間で改変され、前記周波数範囲内の受信信号への干渉を回避する、請求項１５に記載のシステム。
【発明の詳細な説明】
【技術分野】
【０００１】
本願は、３５  Ｕ．Ｓ．Ｃ．１１９（ｅ）に従って、２００４年４月８日に出願、譲渡された「広帯域認知無線：測定中に部分修正される副搬送波空間（Cognitive Wideband Radios: Modified Sub-carrier Spaces During Measurements）」という名称の米国仮出願（第６０／５６０４４２号）についての優先権を主張し、これらの内容を本明細書に参考として援用する。
【０００２】
本願は、無線通信システムに関し、より詳細には、超広帯域無線（Ultra Wide Band）および認知無線（Cognitive Radio）技術と、それらの指定された動作帯域および伝送電力の範囲の内外にそれらの伝送を動的に割り振る際のそれらの使用とに関する。
【背景技術】
【０００３】
従来、テレビ、ラジオ、衛星通信、あるいはレーダ伝送に使用される周波数帯域は、旧来の諸伝送サービスが独占的に使用するものとして認可されている。周波数スペクトルのこの使用許諾（licensing）または規制（regulation）は従来、無線伝送間の干渉を回避するために必要とされている。表１は米国における従来型のＶＨＦテレビ帯域の割振りを示す。
【表１】
2007533198.tif 000003
【０００４】
通常、ＶＨＦ・ＴＶ信号は、帯域の下端に偏った搬送周波数をもつ６ＭＨｚ帯域を占める。グレードＡおよびグレードＢ受信範囲（coverage）は、適切な画質を得るために受信されるべき最小信号電力条件を表す。これらの受信範囲エリアは伝送信号の地理的境界を定義する。
【０００５】
図１は、テレビ伝送の地理的割振りの一例を示している。この例はまた、地理的割振りが、どのようにして干渉を回避する信号の分離（signal isolation）を可能にするかも示している。この図に示す例では、ニューヨーク、フィラデルフィア、およびワシントンＤ．Ｃ．の空間的に近接する都市のグレードＡおよびグレードＢサービス受信範囲が示されている。地理的な分離をはかるために、例えば、放送機器の伝送が、ニューヨークおよびワシントンではチャネル２で、フィラデルフィアではチャネル３で伝送することができる。図に示すように、周波数と距離、すなわち伝送電力が、チャネル間の干渉を防ぐために用いられる。
【０００６】
上記の例はテレビ周波数割振りに関して示されるが、ラジオ（ＡＭ／ＦＭ／天気）、衛星、および携帯電話通信など規制されている他の伝送についても同様の周波数割振りが行われている。しかし、このような独占的認可処置は、市場で商業的に成功していない、認可されているサービスが、それらに割り振られた周波数帯域で放送を行わないことから、無線スペクトルの使用効率を下げてしまうことになる。さらに、一部のサービス、例えば緊急コールや安全サービス／災害救助通信サービスは、ほんの時折しかそれらに割り振られた無線帯域の使用を必要としない。またサービスによっては、指定された期間しか稼動しないかもしれない。したがって、従来型の周波数スペクトルの規制では、資源が効率よく使用されることはない。
【０００７】
その一方で、家庭用電化製品の通信システムは、主に無認可周波数帯域で動作する。無認可周波数帯域の資源は、無認可通信装置が広く市場に浸透しているために、一般に効率よく使用されていると考えられている。極度に低い伝送電力を必要とする短距離無線通信（small distance wireless communications）が台頭するなか、周波数スペクトルの独占的割振りを用いることは実際的でなく、厄介であり、効率的ではない。しかし、このような無線システムに課される要求のために、規制されないスペクトルの無統制な使用は、規制された周波数帯域内での重大な衝突や起こり得る干渉を引き起こしかねない。
【発明の開示】
【発明が解決しようとする課題】
【０００８】
したがって、特に短距離無線通信用の周波数スペクトルのより効率よい使用を可能にする方法およびシステムが当業界では求められている。
【課題を解決するための手段】
【０００９】
周波数スペクトル資源を効率よく利用する方法およびシステムが開示される。この方法は、少なくとも１つのスペクトル機会（spectrum opportunity）を決定するステップであって、前記機会が周波数範囲（frequency range）と持続時間（time duration）によって識別されるステップと、識別された周波数範囲における所望の信号の伝送を可能にするために１組の改変された伝送特性（transmission characteristics）を決定するステップであって、前記改変された伝送特性が前記周波数範囲内の予想される信号への干渉を回避するステップと、前記伝送が前記持続時間中に生じるとき、前記改変された伝送特性を使用して前記所望の信号を伝送するステップと、を含む。前記システムの一態様では、少なくとも１つの機会を決定するステップが、既知の周波数範囲内で信号を受信するステップと、前記受信信号の特性を決定するステップとを含む。前記システムは、少なくとも１つの受信可能な信号に関する情報項目を受信するための受信ユニットと、少なくとも１つの受信信号の特性を決定するための処理ユニットと、決定された受信信号の特性に基づいて所望の信号の伝送特性を改変するための管理ユニットであって、前記改変された伝送特性が前記受信信号への干渉を回避するユニットと、前記改変された伝送特性を受け取って、前記所望の信号を伝送する伝送ユニットとを含む。一態様では、前記所望の信号の伝送特性は、周波数範囲／時間で改変されて、前記周波数範囲内の受信信号への干渉を回避する。
【００１０】
添付の図面は、単に本発明の概念の例示を目的とするに過ぎず、本発明の範囲の定義付けを意図するものでないことは理解されたい。本明細書で図に示され、添付の詳細な説明で述べられる諸実施形態は、例示的な実施形態として使用されるべきであり、本発明を実施する唯一のやり方と解釈されてはならない。また、同じ参照番号が、適切な箇所では参照符号がおそらく添えられているが、同様の要素を識別するために使用されている。
【発明を実施するための最良の形態】
【００１１】
超広帯域無線（ＵＷＢ―Ultra Wide Band―）技術は、短距離無線通信（short-range wireless communications）に十分な無線スペクトルを提供する１つの試みである。それはまた、近距離無線通信（ＷＰＡＮ―Wireless Personal Area Network―）規格ＩＥＥＥ８０２．１５．３ａの一候補でもあり、１．５ＧＨｚ帯域幅で低電力伝送を使用して５５メガバイト／秒（Ｍｂ／ｓ）から４８０Ｍｂ／ｓの範囲のデータ・レートを達成する。最近、米国連邦通信委員会（ＦＣＣ―Federal Communication Commission―）は３．１ＧＨｚから１０．６ＧＨｚまでの周波数帯域をＵＷＢ伝送の利用のために割り当てた。
【００１２】
図２は、従来型の無線通信とＵＷＢ通信との伝送電力スペクトルの比較（原寸には比例せず）を示している。図に示すように、ＵＷＢ伝送の出力電力は、電子環境の周囲雑音レベル、例えば、動作中のコンピュータ・システムによって生み出される偶発放射電力などを実質的に上回ることがないよう意図されている。
【００１３】
図３は、マルチバンド直交周波数分割多重方式推進団体（ＭＢＯＡ―Multi-band OFDM Alliance―）により提唱された、各チャネルが３．１６８ＧＨｚから４．７５２ＧＨｚまでの周波数範囲内で５２８ＭＨｚずつ順に帯域幅を有する、３つのＵＷＢチャネル３１０、３２０、３３０の一応用例を示している。ＵＷＢ技術を使用すれば、１００Ｍｂ／ｓより大きなデータ・レートが、わずかでしかない周囲雑音レベルを実質的に超えることのない出力電力を有するチャネルを介して伝送されてよい。ＵＷＢ技術に適した応用例の実例には、無線ＵＳＢ、消費者装置（consumer devices）とパーソナル・コンピュータとの間での音声および映像コレクションの高速転送、並びに消費者装置間でのデジタル・ビデオの高速ストリーミングがある。図に示した応用例では、指定された時間ｔ０、ｔ１、およびｔ２に、３つのチャネルそれぞれでデータが伝送される。識別された伝送周期の合間には、周囲雑音レベルだけが存在する。当業者であれば理解するように、伝送は有限期間、例えば、ｔ１からΔｔ１まで生じるが、この期間は不要な混乱と複雑さを避けるために図には示されていない。
【００１４】
スペクトル迅速無線（ＳＡＲＡ―Spectrum Agile Radio―）は、伝送周波数または周波数範囲を提供する機会、すなわち未使用のスペクトル資源を探すことによって、周波数スペクトルの使用効率を高める方法である。スペクトル機会の識別はＳＡＲＡ規定によって規制されており、この方針は、例えばメモリ装置を介して、あるいはそれらをサーバからダウンロードすることによって、スペクトルの使用を示す測定結果と併せてＳＡＲＡ無線ネットワークに利用できるようにされている。ＳＡＲＡの主な目的の１つは、規制されている主要なサービスとの分離、およびそれらサービスとの衝突の回避である。
【００１５】
図４ａは、無認可の５ＧＨｚ周波数帯域で動作する４つのＩＥＥＥ８０２．１１ａチャネル４１０、４２０、４３０、４４０、並びに５．１４から５．１６ＧＨｚまでの周波数帯域での周期的伝送（periodic transmission）４５０のスペクトル使用を示している。スペクトル機会を識別するＳＡＲＡ規定の一側面によれば、１つのスペクトル機会はＩＥＥＥ８０２．１１ａチャネル帯域の上、すなわち領域４５０と識別され、第２のスペクトル機会は周期的伝送４４５の下、すなわち領域４５０と識別される。ＳＡＲＡ規定の他の側面では、付加的なスペクトル機会が、例えば、信号４４５内の５〜７ｍｓ、１０〜１２ｍｓ、１５〜１７ｍｓなどの時間に識別されてよい。図４ｂは、周波数／時間の領域内で識別されるスペクトル機会の第２の例を示している。図に示されるように、機会は時間の経過に従って、しだいに多くの周波数帯域にわたって連続することもあれば分離することもある。ＳＡＲＡベースの技術を使用する装置は、このような機会の使用に先立って機会を識別することができる。
【００１６】
図５ａは、本発明の原理による、図１に示したＵＷＢ伝送での、ＳＡＲＡ技術を使用したＵＷＢ伝送の一例を示している。この第１の例では、スペクトル機会５１０が周波数帯域ｆ１とｆ２との、および時間ｔ１−Δｔ１とｔ１２＋Δｔ１２との間に存在すると決定される。この場合、チャネル１すなわち３１０で、時間ｔ１とｔ２で生じるようにスケジュールされた伝送が、ｆ１とｆ２、すなわちそれぞれ５１５と５１７との間の周波数帯域にシフトされる。さらに、その伝送は実質的により高い電力で生じる。より高い電力を使用することは、それにより、より遠い距離でその信号の受信を許容するので、あるいは、同レベルのサービス品質を受けるために伝送される必要のある、より少ない符号化ビットとしての、より低い帯域幅の使用を許容するので、有利である。
【００１７】
図５ｂは、本発明の原理によるＵＷＢ・ＳＡＲＡ伝送の第２の例を示している。この図に示す例では、スペクトル機会５２０が時間ｔ０とｔ２−Δｔ２との間のチャネル１すなわち３１０内の周波数サブバンドに決定され、また機会５３０が時間ｔ１−Δｔ１とｔ２＋Δｔ２との間のチャネル３すなわち３３０内の周波数サブバンドに決定される。この場合、チャネル１すなわち３１０内の副搬送周波数が、機会５２０によって指定された、その指定されたサブバンド内にあるとき、その伝送の伝送特性が、その機会を利用できるように改変または適合される。この場合、指定されたサブバンド内で、時間ｔ０およびｔ１、すなわちそれぞれ５２２および５２４に生じる伝送のために、電力が増加される。機会５２０の窓が閉じているので、時間ｔ２では、わずかな電力で信号が伝送されることに留意されたい。
【００１８】
同様にして、チャネル３すなわち３３０で伝送される信号が時間ｔ１およびｔ２に伝送されるとき、副搬送周波数がスペクトル機会５３０に関連する周波数帯域内にある場合、その伝送特性は改変される。この場合、伝送特性の改変は、電力および変調速度の両方においてである。改変はまた、当業者であれば理解するように、変調方式、符号化レートなど特性またはパラメータにおいて生じてもよい。
【００１９】
図５ｃは、本発明の原理による、ＵＷＢ・ＳＡＲＡ動作の他の例を示している。この例では、読み取られた、または計測されたスペクトルが、時間ｔ１−Δｔ１とｔ１＋Δｔ１との間の、チャネルからチャネル３に広がる周波数範囲にある。この場合、計測のために、伝送特性がサブチャネル帯域幅から適合される。計測用の帯域幅は、図に示すように近接（隣接）または連続する必要はなく、分離していても、隣接していなくても、かつ／または連続していなくてもよい複数の帯域に広がっていてもよいことは当業者であれば理解されよう。
【００２０】
図６ａは、本発明の原理に従ってスペクトル機会を決定する例示的な処理６００の流れ図である。本発明のこの態様では、ＵＷＢ・ＳＡＲＡで強化された装置の動作パラメータまたは特性が、ブロック６１０で確立される。ブロック６２０で、所望のまたは選択された周波数帯域内の無線スペクトルの使用に関して決定がなされる。ブロック６３０で、信号がその所望のまたは選択された周波数帯域に存在するかどうかが決定される。決定の結果が否定である場合、ブロック６６０で、動作条件が例えばデフォルト値に固定される。しかし、決定の結果が肯定であれば、ブロック６４０で信号特性の分析が実施され、その結果が記憶される。
【００２１】
ブロック６４５で、他にも信号が存在するかどうかが決定される。決定の結果が肯定である場合、ブロック６４０で、残りの信号の分析のために処理が続けられる。しかし決定の結果が否定である場合、ブロック６５０で、信号の分析に基づいて動作特性が決定される。
【００２２】
図６ｂは、図１に示した例を用いて、本発明の原理に従って決定された例示的な電力伝送特性を示している。図１に戻ると、ＵＷＢ・ＳＡＲＡで強化された装置１１０は、フィラデルフィアの都市とワシントンＤ．Ｃ．の都市との間に置かれ、受信によって、周囲の都市から発せされたチャネル２、３、４、５、および７の信号を決定することができる。この場合、チャネル２、４、および７は、ワシントンＤ．Ｃ．およびニューヨークから発せられ、チャネル３はフィラデルフィアから発せられ、チャネル５はまたニューヨークから発せられる。理解されるように、各チャネルで受信した電力は、送信機の出力電力、送信機と受信装置１１０との間の距離、受信装置１１０の感度、および天候条件により様々である。理解されるように、ニューヨークから発せられるチャネル２の信号は、ワシントンから発せられるチャネル２の信号がかなり高い受信電力であるか、あるいは伝送信号電力が弱すぎて装置１１０に届かないかもしれないので、検出されなくてよい。しかし、この例では、受信装置はチャネル２、３、４、５、および７を検出できたはずである。
【００２３】
図６ｂに戻ると、この図で示す場合では、チャネル２、４、および７内の副搬送周波数での伝送電力レベルは、第１電力レベル、すなわち６７０、６７２、および６７６で確立されて、ワシントンから発せられるチャネル２、４、および５への干渉を回避する。チャネル３内の副搬送周波数での伝送電力レベルは、公称の（nominal）電力レベル６７１に設定されて、フィラデルフィアから発せられるチャネル３への干渉を回避し、チャネル５内の副搬送周波数での伝送電力レベルは第２すなわち６７３に設定されて、チャネル５への干渉を回避する。チャネル６に信号の存在が検出または決定されない場合、最大電力レベル６７４が設定されてよい。詳細には示さないが、当業者であれば、同様の動作がＦＭ帯域、８８から１７４ＭＨｚの間で実施されてよいことは理解されよう。この図で示す例では、電力レベルは固定レベル６７５に設定されて示してある。
【００２４】
上記の例は本発明を信号環境の検出および分析に関して説明したが、当業者であれば、信号環境が、装置１１０の位置および各伝送サイトの位置および伝送電力を知ることによって決定されてよいことも理解されよう。さらに、受信サイトでの受信電力は、周波数、距離、伝送電力および減衰に基づいて受信信号の強度を推定する周知の公式を使用して決定されてよい。ある場合では、装置１１０の位置が手動入力によって与えられてよく、他の場合では、全地球測位衛星（例えば、ＧＰＳ―Global Positioning Satellite―）がその位置を提供してよい。
【００２５】
図７は、本発明の他の態様における処理７００の流れ図を示している。本発明のこの態様では、電子環境内の信号が、ブロック７１０で決定される。ブロック７２０で、その電子環境が変化しているかどうかの決定がなされる。決定の結果が否定の場合、目下の動作パラメータがブロック７３０に維持される。しかし、決定の結果が肯定である場合、ブロック７４０で信号環境が再評価されて、ブロック７４５で、新しい動作パラメータが確立される。図７に示す処理は、周期的に、直前の実行後の所定の時間に、既知のイベント時に、あるいは未知のイベント時に開始されてよい。例えば、図に示した処理は、装置１１０が固定されておらず別の位置に輸送される場合に、妨害レベルの閾値に遭遇し、それがビット・エラー・レートの閾値を超える場合、規制されている信号が指定された時間に断続的になると知られている場合、あるいは以上その他の同様な基準の組合せで、開始されてよい。
【００２６】
図８は、本発明の原理による処理の流れを示す構成図８００を示している。この例示的な構成図では、データ８１０が変調器８２０に与えられて、副搬送波生成器８３０によって供給される副搬送周波数にデータ８１０を上書きまたは変調する。変調された副搬送周波数は、指定された時間に、符号化および後続の伝送のために逆高速フーリエ変換（ＩＦＦＴ―Inverse Fast Fourier Transform―）８４０に与えられる。
【００２７】
信号はまた、システム８００に受け入れられ、この図で示した例では、高速フーリエ変換（ＦＦＴ―Fast Fourier Transform―）８５０によって復号されて、スペクトル機会マネージャ（ＳＯＭ―Spectrum Opportunity Manager―）８６０に与えられる。ＳＯＭ８６０の出力は、受信信号の分析に基づいて次／後続の伝送での伝送特性の修正をもたらすために、副搬送波生成器８３０に与えられる。上記で説明したように、受信信号を受信する時間は、周期的なまたは固定された時間でも、あるいは既知のイベントの発生時でもよい。
【００２８】
図９は、図８に示したＳＯＭ８６０の処理の流れを示すブロック図を示している。この例示的な処理の流れでは、環境識別子８６２が、検出された信号および／または位置ならびに既知の信号のデータベースに基づいて、電子環境に関する情報項目を受信する。例えば、周波数スペクトルの規制を管理しているＦＣＣによって用意された、既知の規制されている信号のデータベースが受信されてもよく、上記で述べたように、その情報項目が送信機の位置と連携して使用されて、受信サイトで予想される信号環境を決定することができる。
【００２９】
決定されたまたは識別された信号は、動作マネージャ８６４に与えられ、そのマネージャは、その識別された信号に基づいて、次／後続の伝送の伝送特性を決定する。次／後続の伝送の伝送特性は、次／後続の伝送に変更をもたらすために改変されてよい。一態様では、従来のＯＳＩ７階層ネットワークの物理層の伝送パラメータが改変されてよい。改変された伝送パラメータは、次いで、伝送を実施するために副搬送波生成器８３０に与えられる。
【００３０】
図１０は、本発明の原理を実施するために使用されてよい、システム１０００の一例示的実施形態を示している。システム１０００は、１つまたは複数の入出力装置１００２、プロセッサ１００３、およびメモリ１００４を含んでよい。入出力装置１００２は１つまたは複数のソース１００１にアクセスする、または信号情報に関して１００１から情報を受け取ることができる。ソース１００１は、受信システム、コンピュータ、ノート・パソコン、ＰＤＡ、携帯電話機、あるいはその他の受信装置またはシステムなどの装置であってよい。ソース１００１は、１つまたは複数のネットワーク接続１０５０を介して、例えば無線ＷＡＮ（wireless Wide Area Network）、無線ＭＡＮ（wireless  Metropolitan Area Network）、無線ＬＡＮ（wireless Local Area Network）、地上放送システム（ラジオ、ＴＶ）、衛星ネットワーク、携帯電話または無線電話ネットワーク、有線ネットワーク、内部通信バス、内部接続（internal connections）ならびに以上その他のタイプのネットワークの一部または組合せを介して、情報を供給することができる。
【００３１】
入出力装置１００２、プロセッサ１００３、およびメモリ１００４は、通信媒体１０２５を介して通信することができる。通信媒体１０２５は、例えば、バス、通信ネットワーク、回路の１つまたは複数の内部接続、回路カード、あるいはその他の装置、ならびに以上その他の通信媒体の一部または組合せを代表してよい。ソース１００１からの入力データは、メモリ１００４に格納されてよく、プロセッサ１００３によって処理されてよい１つまたは複数のプログラムに従って処理される。プロセッサ１００３は、汎用または専用コンピューティング・システムなど、どの手段であってもよく、またラップトップ・コンピュータ、デスクトップ・コンピュータ、サーバ、ハンドヘルド・コンピュータ、専用論理回路、あるいは集積回路などのハードウェア構成であってもよい。プロセッサ１００３はまた、既知の入力に応答して既知の出力を提供するソフトウェア命令を含むようにプログラムされたハードウェアであるプログラム可能アレイロジック（ＰＡＬ―Programmable Array Logic）、特定用途向け集積回路（ＡＳＩＣ―Application Specific Integrated Circuit）などであってもよい。一態様では、ハードウェア回路が、本発明を実施するために、ソフトウェア命令の代わりに、あるいはソフトウェア命令と組み合わせて使用されてよい。本明細書に示した要素はまた、符号化された論理演算を使用して、あるいはハードウェア実行可能符号を実行することによって、図に示した動作を実施するように動作可能な離散的ハードウェア要素として実装されてもよい。
【００３２】
一態様では、本発明の原理が、プロセッサ１００３によって実行されるコンピュータ可読符号によって実施されてよい。その符号は、メモリ１００４内に格納されてよく、またメモリ媒体１０８３、入出力装置１０８５、あるいはメモリスティック、フラッシュ・カード、フロッピー・ディスク、ＣＤ−ＲＯＭもしくはＤＶＤなど磁気、光媒体１０８７から読取り／ダウンロードされてよい。
【００３３】
本明細書に示された機能を実施するように動作可能な１つまたは複数のソフトウェア・プログラムに従って処理された後、入出力装置１００２によって受信される、ソース１００１からの入力はまた、ネットワーク１０７０を介して、ディスプレイ１０８０、通知装置１０９０、あるいは第２処理システム１０９５、例えば副搬送波生成器８３０（図８）で表された、１つまたは複数の出力装置に伝送されてよい。
【００３４】
当業者であれば理解するように、用語コンピュータまたはコンピュータ・システムは、１つまたは複数のメモリ・ユニット、および少なくとも１つの処理ユニットと電子的に接続され通信するその他の装置、例えば周辺装置と通信する１つまたは複数の処理ユニットを表してよい。さらに、諸装置は、内部バス、例えばＩＳＡバス、マイクロチャネル・バス、ＰＣＩバス、ＰＣＭＣＩＡバス他、あるいは回路の１つまたは複数の内部接続、回路カードまたはその他の装置、ならびに以上その他の通信媒体または外部ネットワーク、例えばインターネットおよびイントラネットの一部または組合せを介して、電子的に１つまたは複数の処理ユニットに接続されてよい。
【００３５】
以上、本発明の抜本的で新規な特徴はその好ましい実施形態に適用して、図に示され、説明され、指摘されてきたが、上で述べた装置において、開示された装置の形態および細部において、またそれらの動作において、様々な省略、代替、変更が、本発明の趣旨を逸脱することなく当業者によりなされ得ることは理解されよう。実質的に同じ機能を実質的に同じやり方で実施して同じ結果を達成する要素のすべての組合せが本発明の範囲内にあることははっきりと意図されている。説明された一実施形態から別の実施形態までの要素の代用もまた、十分に意図かつ企図されている。
【図面の簡単な説明】
【００３６】
【図１】信号の干渉を回避するための伝送サイトの地理的分散を示す図である。
【図２】ＵＷＢ伝送の従来型の電力分布を示す図である。
【図３】例示的な周波数／時間ＵＷＢ伝送を示す図である。
【図４ａ】スペクトル機会の例示的な周波数／時間伝送分布および識別を示す図である。
【図４ｂ】スペクトル機会の例示的な周波数／時間伝送分布および識別を示す図である。
【図５ａ】本発明の原理による周波数／時間ＵＷＢ伝送の例を示す図である。
【図５ｂ】本発明の原理による周波数／時間ＵＷＢ伝送の例を示す図である。
【図５ｃ】本発明の原理による周波数／時間ＵＷＢ伝送の例を示す図である。
【図６ａ】本発明の原理による処理の流れ図である。
【図６ｂ】図６ａに示した処理の結果の一例を示す図である。
【図７】本発明の原理による第２の例示的な処理の流れ図である。
【図８】本発明の原理による処理の流れを示す構成図である。
【図９】図８に示したスペクトル機会マネージャの処理の流れの構成図である。
【図１０】本明細書に示す処理を実行する処理システムを示す図である。
【図１】
2007533198.tif 000004
【図２】
2007533198.tif 000005
【図３】
2007533198.tif 000006
【図４Ａ】
2007533198.tif 000007
【図４Ｂ】
2007533198.tif 000008
【図５Ａ】
2007533198.tif 000009
【図５Ｂ】
2007533198.tif 000010
【図５Ｃ】
2007533198.tif 000011
【図６Ａ】
2007533198.tif 000012
【図６Ｂ】
2007533198.tif 000013
【図７】
2007533198.tif 000014
【図８】
2007533198.tif 000015
【図９】
2007533198.tif 000016
【図１０】
2007533198.tif 000017
【国際調査報告】
2007533198.tif 000018
2007533198.tif 000019